(57)【特許請求の範囲】
【請求項１】
電波を送信または受信する高周波ユニットと、前記高周波ユニットを制御する制御ユニットから構成され、前記高周波ユニットの動作電源を前記制御ユニットから供給するようにされた無線システムにおいて、
無線システムの起動時に、前記制御ユニットから前記高周波ユニットに対して規定の電源電圧よりも低い所定の低電圧を供給し、
該低電圧状態において前記制御ユニットから前記高周波ユニットへ機種照合用の所定の初期設定コマンドを送信し、
前記初期設定コマンドに対する応答が前記高周波ユニットより所定時間内に返送されてきたときは、前記制御ユニットから前記高周波ユニットに供給されている低電圧を規定の電源電圧に切り換えるとともに、
所定時間内に応答が返送されてこないときは、制御ユニットと高周波ユニットの機種不一致として警告を発することを特徴とする無線システムにおける電源供給の初期設定方法。
【請求項２】
前記制御ユニットから前記高周波ユニットへの規定の電源電圧の供給が前記低電圧を昇圧することにより行なわれることを特徴とする請求項１記載の無線システムにおける電源供給の初期設定方法。
【発明の詳細な説明】
【０００１】
【発明の属する技術分野】
本発明は、無線システムにおける電源供給の初期設定方法に係り、より詳しくは、制御ユニットと高周波ユニットを一組として構成される無線システムにおいて、制御ユニットから高周波ユニットへ電源を供給開始する際の初期設定方法に関するものである。
【０００２】
【従来の技術】
映像や音声を電波によって送受信する無線システム、例えばテレビジョンの移動中継などに用いられる無線システムでは、装置の携帯性、機動性、操作性を考慮して、映像信号や音声信号を中間周波に変換する制御部と、中間周波信号を無線周波に変換してパラボラアンテナなどから電波として送信する高周波部とを分離してそれぞれをユニット化し、この分離した制御ユニットと高周波ユニットを一組として無線システムを構成している。
【０００３】
このようなユニット分離型の無線システムを例えば中継車に装備して使用する場合、高周波ユニットはパラボラアンテナとともに三脚に載せて車の屋根の上などに設置するとともに、制御ユニットは車内の調整室などに設置するようにしている。このため、前記ユニット分離型の無線システムでは、屋外に設置される高周波ユニットの電源は、制御ユニットからケーブルを介して、あるいは制御ユニットと高周波ユニットを結ぶ信号伝送用の同軸ケーブルに重畳して給電されるのが普通である。
【０００４】
【発明が解決しようとする課題】
ところで、上記したユニット分離型の無線システムでは、機種の異なる無線システムが複数台用意されているような場合、誤って異なる機種の制御ユニットと高周波ユニットを接続するようなことも起こり得る。このように異なる機種の制御ユニットと高周波ユニットを接続した場合、両者の電源電圧が同じか、あるいは制御ユニットの電源電圧の方が高周波ユニットの電源電圧よりも低い場合には何ら問題ないが、制御ユニットの電源電圧の方が高周波ユニットの電源電圧よりも高い場合には、高電圧のために高周波ユニットを破壊してしまうおそれがある。
【０００５】
本発明は、上記のような問題を解決するためになされたもので、その目的とするところは、異なる機種の制御ユニットと高周波ユニットを誤って接続した場合でも、電源電圧の違いによって高周波ユニットが破壊されることを防止することのできる無線システムにおける電源供給の初期設定方法を提供することである。
【０００６】
【課題を解決するための手段】
上記課題を解決するために、本発明では次のような手段を採用した。
すなわち、請求項１記載の発明は、電波を送信または受信する高周波ユニットと、前記高周波ユニットを制御する制御ユニットから構成され、前記高周波ユニットの動作電源を前記制御ユニットから供給するようにされた無線システムにおいて、無線システムの起動時に、前記制御ユニットから前記高周波ユニットに対して規定の電源電圧よりも低い所定の低電圧を供給し、該低電圧状態において前記制御ユニットから前記高周波ユニットへ機種照合用の所定の初期設定コマンドを送信し、前記初期設定コマンドに対する応答が前記高周波ユニットより所定時間内に返送されてきたときは、前記制御ユニットから前記高周波ユニットに供給されている低電圧を規定の電源電圧に切り換えるとともに、所定時間内に応答が返送されてこないときは制御ユニットと高周波ユニットの機種不一致として警告を発するようにしたことを特徴とするものである。
【０００７】
このような構成とした場合、同機種の制御ユニットと高周波ユニットが接続されたときにのみ、制御ユニットから高周波ユニットに対して規定の電源電圧が供給される。また、異なる機種の制御ユニットと高周波ユニットが接続された場合には、機種不一致の警告が発せられる。したがって、電源電圧の違いによるシステムの破損および破壊を防止することができる。
【０００８】
請求項２記載の発明は、前記請求項１記載の発明において、前記制御ユニットから前記高周波ユニットへの規定の電源電圧の供給が前記低電圧を昇圧することにより行なわれることを特徴とするものである。
【０００９】
このような構成とした場合、制御ユニット内に電圧の異なる複数の独立した電源を用意する必要がないので、無線システムに本発明方法を適用しても装置が大型化することがない。
【００１０】
【発明の実施の形態】
以下、本発明の実施の形態について、図面を参照して説明する。
図１に、本発明方法を適用して構成した無線システムの第１の例を示す。
この第１の例は、送信用の無線システムに本発明方法を適用したもので、図中、１は送信制御ユニット、２は送信高周波ユニット、３は送信用のパラボラアンテナ、４は信号伝送用の同軸ケーブル、５は電源ケーブル、６は制御信号ケーブルである。送信用無線システムは、前記送信制御ユニット１と送信高周波ユニット２を一組として構成されている。
【００１１】
送信制御ユニット１は、プリエンファシス回路１０１、ローパスフィルタ１０２、音声変調回路１０３、合成回路１０４、中間周波変調回路１０５、昇圧回路１０６Ａを内蔵した電源装置１０６、制御用のＣＰＵ１０７、警報回路１０８、電源スイッチ１０９から構成されている。
【００１２】
また、送信高周波ユニット２は、中間周波増幅回路２０１、中間周波信号を送信マイクロ波まで周波数変換するためのアップコンバータ２０２、局部発振器２０３、電力増幅器２０４、高電圧電源受電回路２０５Ａと低電圧電源受電回路２０５Ｂを内蔵した電源装置２０５、制御用のＣＰＵ２０６から構成されている。
【００１３】
前記構成になる送信用無線システムにおいて、本発明に係る電源電圧の初期設定方法を説明する前に、先ず送信制御ユニット１と送信高周波ユニット２の信号処理動作について、簡単に説明する。
【００１４】
送信制御ユニット１に入力されてきた映像信号は、ＦＭ変調に伴う三角ノイズを低減するために、プリエンファシス回路１０１で高域部分を所定レベル増強された後、ローパスフィルタ１０２を介して合成回路１０４に送られる。
【００１５】
また、音声信号は、映像信号と合成するために音声変調回路１０３で所定の周波数帯域まで高域変換された後、合成回路１０４へ送られる。そして、映像信号と音声変調信号は、合成回路１０４で合成された後、中間周波変調回路１０５において所定の中間周波信号にＦＭ変調され、同軸ケーブル４を介して送信高周波ユニット２に送られるものである。
【００１６】
前記送信制御ユニット１から送られてきた中間周波信号は、送信高周波ユニット２内の中間周波増幅回路２０１で所定レベルまで増幅された後、アップコンバータ２０２と局部発振器２０３によって送信マイクロ波の周波数まで周波数変換される。そして、電力増幅器２０４で所定レベルまで電力増幅された後、パラボラアンテナ３からマイクロ波となって送信されるものである。
【００１７】
次に、本発明に係る電源供給の初期設定方法について、図２および図３のフローチャートを参照して説明する。
【００１８】
図２は送信制御ユニット１の初期設定動作のフローチャート、図３は送信高周波ユニット２の初期設定動作のフローチャートである。これらのフローチャートで示される処理プログラムは、予め、送信制御ユニット１のＣＰＵ１０７内のＲＯＭ（図示せず）および送信高周波ユニット２のＣＰＵ２０６内のＲＯＭ（図示せず）にそれぞれ格納されている。
【００１９】
まず最初に、図２を参照して、送信制御ユニット１の初期設定動作について説明する。
なお、以下の例では、送信高周波ユニット２の定格電源電圧をＤＣ３６Ｖとし、初期設定時に送信制御ユニット１から送信高周波ユニット２へ送給される低電圧電源をＤＣ１２Ｖとする。電源装置１０６内の昇圧回路１０６Ａは、初期設定時には低電圧のＤＣ１２Ｖを出力しており、ＣＰＵ１０７から指令が与えられた時に定格電源電圧のＤＣ３６Ｖまで昇圧して出力するものである。この昇圧回路１０６Ａとしては、例えばスイッチングレギュレータなどを用いればよい。また、ＣＰＵ１０７，２０６の動作電圧は前記ＤＣ１２Ｖよりも小さなＤＣ５Ｖであり、ＤＣ１２Ｖが送給されている場合でも正常に動作可能である。
【００２０】
さて、送信制御ユニット１と送信高周波ユニット２が図１に示すように接続され、送信制御ユニット１の電源スイッチ１０９がＯＮされると（図２のステップＳ１）、電源装置１０６は各回路１０１〜１０５のための動作用電源ＤＣ１２ＶおよびＣＰＵ１０７のための動作用電源ＤＣ５Ｖを出力するとともに、昇圧回路１０６Ａからは電源ケーブル５を介して低電圧のＤＣ１２Ｖを送信高周波ユニット２へ出力する（ステップＳ２）。
【００２１】
送信高周波ユニット２内の低電圧電源受電回路２０５Ｂは、前記ＤＣ１２Ｖを受けてＣＰＵ２０６の動作用電源ＤＣ５Ｖを出力し、ＣＰＵ２０６に供給する。なお、この初期設定時には、高電圧電源受電回路２０５Ａの出力スイッチ２０５ＣはＯＦＦとされており、各回路２０１〜２０４への電源の供給は停止されている。
【００２２】
上記のようにして送信制御ユニット１から低電圧のＤＣ１２Ｖが送信高周波ユニット２へ供給開始されると、ＣＰＵ１０７は遅延タイマーをセットする（ステップＳ３）。図示例の場合、この遅延タイマーはソフトタイマーから構成されており、動作用電源ＤＣ５Ｖを印加された送信高周波ユニット２のＣＰＵ２０６が完全に動作可能な状態となるのを待つための待機時間を与えるものである。
【００２３】
前記遅延タイマーが予め設定した遅延時間をカウントしてタイムアップすると、ＣＰＵ１０７は、制御信号ケーブル６を介して送信高周波ユニット２に機種照合用の初期設定コマンドを送信した後（ステップＳ４）、監視タイマーをスタートする（ステップＳ５）。図示例の場合、この監視タイマーはソフトタイマーから構成されており、セットした時間内に送信高周波ユニット２から前記初期設定コマンドに対する応答（アンサー）が返って来たか否かを判定するための監視時間を与えるものである。
【００２４】
そして、ＣＰＵ１０７は、前記監視タイマーがタイムアップするまでの間、送信高周波ユニット２から前記初期設定コマンドに対するアンサーが返送されてくるか否かを監視する（ステップＳ６，Ｓ８，Ｓ９）。
【００２５】
監視タイマーがタイムアップする前に送信高周波ユニット２からアンサーが送り返されてきた場合（ステップＳ６のＹ側）、ＣＰＵ１０７は、送信制御ユニット１と送信高周波ユニット２が同一機種であると判定してステップＳ７へ移行し、それまでのＤＣ１２Ｖに代えて定格電源電圧たるＤＣ３６Ｖの送給を開始する。
【００２６】
すなわち、ＣＰＵ１０７は、送信高周波ユニット２からのアンサーを受信すると、電源装置１０６内の昇圧回路１０６Ａに対して昇圧開始指令を送る。昇圧回路１０６Ａはこの指令を受けて昇圧動作を開始し、それまで出力していたＤＣ１２Ｖを定格電源電圧たる高電圧のＤＣ３６Ｖまで昇圧し、電源ケーブル５を介して送信高周波ユニット２の電源回路２０５へ送る。
【００２７】
送信高周波ユニット２の電源回路２０５内の高電圧電源受電回路２０５Ａは、前記ＤＣ３６Ｖを受電してＤＣ±１２Ｖに変換するとともに、ＣＰＵ２０６は電源回路２０５からの受電情報に基づいて出力スイッチ２０５ＣをＯＮし、各回路２０１〜２０４に対して動作用電源ＤＣ±１２Ｖを供給する。これにより、送信高周波ユニット２内の各回路２０１〜２０４は、正常動作可能な状態に設定される。
【００２８】
一方、前記監視タイマーがタイムアウトするまでの間に送信高周波ユニット２からアンサーが送り返されてこなかった場合には（ステップＳ９のＹ側）、ＣＰＵ１０７は、送信制御ユニット１と送信高周波ユニット２が同一機種ではないと判定し、ステップＳ１１へ移行して警報回路１０８を駆動して警報ランプ（図示せず）を点滅するなどし、無線システム使用者に対して接続されているユニットの機種が一致していない旨の警告を発する。
【００２９】
次に、図３を参照して、送信高周波ユニット２の初期設定動作について説明する。なお、前述したように定格電源電圧たるＤＣ３６Ｖの供給前は、電源回路２０５内の出力スイッチ２０５ＣはＯＦＦとなっている。
【００３０】
電源回路２０５は、送信制御ユニット１から低電圧のＤＣ１２Ｖを受電すると（ステップＳ２１）、低電圧電源受電回路２０５ＢにおいてＤＣ５Ｖに変換し、ＣＰＵ２０６に供給する。このＤＣ５Ｖの供給によって、ＣＰＵ２０６のみが動作状態に設定され、遅延タイマーをセットする（ステップＳ２２）。図示例の場合、この遅延タイマーはソフトタイマーから構成されており、送信制御ユニット１のＣＰＵ１０７の遅延タイマー（図２のステップＳ３）に合わせて所定の時間だけ待機させるためのものである。
【００３１】
前記遅延タイマーが所定の遅延時間をカウントしてタイムアップすると、ＣＰＵ２０６は、監視タイマーをセットする（ステップＳ２３）。図示例の場合、この監視タイマーはソフトタイマーから構成されており、設定時間内に送信制御ユニット１から機種照合用の初期設定コマンドが送信されてきたか否かを判定するための監視時間を与えるものである。
【００３２】
そして、ＣＰＵ２０６は、前記監視タイマーがタイムアップするまでの間に、送信制御ユニット１から初期設定コマンドが送信されてくるか否かを監視する（ステップＳ２４，Ｓ２７，Ｓ２８）。
【００３３】
監視タイマーがタイムアップする前に送信制御ユニット１から機種照合用の初期設定コマンドが送られてきた場合（ステップＳ２４のＹ側）、ＣＰＵ２０６はそのコマンド内容を分析し、両者の機種が一致する場合には送信制御ユニット１へアンサーを送り返す（ステップＳ２５）。
【００３４】
送信制御ユニット１のＣＰＵ１０７は、前記アンサーを所定時間内に受信すると、前述したように昇圧回路１０６に昇圧開始指令を送り、ＤＣ１２ＶをＤＣ３６Ｖに昇圧して送信高周波ユニット２へ送出する。送信高周波ユニット２の電源回路２０５内の高電圧電源受電回路２０５Ａは、この高電圧ＤＣ３６ＶをＤＣ±１２Ｖに変換し、ＣＰＵ２０６によってＯＮされた出力スイッチ２０５Ｃを介して各回路２０１〜２０４に供給する（ステップＳ２６）。これにより、送信高周波ユニット２内の各回路２０１〜２０４は正常動作可能な状態に設定される。
【００３５】
一方、前記監視タイマーがタイムアウトするまでの間に送信制御ユニット１から機種照合用の初期設定コマンドが送られてこなかった場合には（ステップＳ２８のＹ側）、機種照合不能としてすべての処理を終了する。この場合には、電源回路２０５内の出力スイッチ２０５ＣはＯＮされることなくＯＦＦ状態のままである。
【００３６】
以上説明したように、前記第１の例によるときは、送信制御ユニット１と送信高周波ユニット２の機種が一致したときにのみ、送信制御ユニット１から送信高周波ユニット２に向けて定格の電源電圧が送電される。したがって、誤って異なる機種の送信制御ユニット１と送信高周波ユニット２を接続したような場合でも、高電圧のために送信高周波ユニット２が破損するなどの事故を防止することができる。
【００３７】
図４に、本発明方法を適用して構成した無線システムの第２の例を示す。
この第２の例は、受信用の無線システムに本発明方法を適用したもので、図１の送信用無線システムと対をなすものである。
【００３８】
図４において、７は受信用のパラボラアンテナ、８は受信高周波ユニット、９は受信制御ユニット、１０は信号伝送用の同軸ケーブルである。受信用無線システムは、前記受信高周波ユニット８と受信制御ユニット９を一組として構成されている。
【００３９】
受信高周波ユニット８は、低雑音増幅回路８０１、ダウンコンバータ８０２、局部発振器８０３、中間周波フィルタ８０４、中間周波増幅回路８０５、高電圧電源受電回路２０５Ａと低電圧電源受電回路２０５Ｂを内蔵した電源装置２０５、制御用のＣＰＵ２０６から構成されている。なお、電源関連部分は、図１の送信用無線システムの場合とまったく同じ構成、作用になるので、それぞれ同一の符号を付し、その詳細な説明は省略する。
【００４０】
受信制御ユニット９は、デエンファシス回路９０１、ローパスフィルタ９０２、映像増幅回路９０３、音声復調回路９０４、昇圧回路１０６Ａを内蔵した電源装置１０６、制御用のＣＰＵ１０７、警報回路１０８、電源スイッチ１０９から構成されている。なお、電源関連部分は、図１の送信用無線システムの場合とまったく同じ構成、作用になるので、それぞれ同一の符号を付し、その詳細な説明は省略する。
【００４１】
前記受信高周波ユニット８と受信制御ユニット９の信号処理動作について簡単に説明すると、受信高周波ユニット８に接続されたパラボラアンテナ７で受信された電波は、低雑音増幅回路８０１で所定レベルまで増幅された後、ダウンコンバータ８０２と局部発振器８０３によって所定の中間周波信号まで周波数変換される。そして、中間周波フィルタ８０４を介して中間周波増幅回路８０５に送られ、所定レベルまで増幅された後、同軸ケーブル１０を介して受信制御ユニット９へ送られる。
【００４２】
受信高周波ユニット８から同軸ケーブル１０を介して受信制御ユニット９へ送られてきた中間周波信号は、デエンファシス回路９０１で高域を低減されて元の周波数特性に戻された後、ローパスフィルタ９０２でベースバンド信号のみが取り出され、映像増幅回路９０３で所定レベルまで増幅された後、元の映像信号として出力される。一方、前記中間周波信号は音声復調回路９０４にも送られ、音声復調回路９０４で音声復調された後、元の音声信号として出力されるものである。
【００４３】
なお、受信制御ユニット９から受信高周波ユニット８への電源供給の初期設定動作は、前述したように図１の送信用無線システムとまったく同じであるので、その動作説明は省略する。
【００４４】
以上、本発明の実施の形態について説明したが、本発明はこれらに限定されるものではなく、その発明の主旨に沿った各種の変形が可能である。また、ＣＰＵに代えて、専用のハードウェア回路で同様の機能を実現することも可能である。
【００４５】
【発明の効果】
請求項１記載の発明によるときは、無線システムの起動時に、前記制御ユニットから前記高周波ユニットに対して規定の電源電圧よりも低い所定の低電圧を供給し、前記制御ユニットから前記高周波ユニットへ機種照合用の所定の初期設定コマンドを送信し、該低電圧状態において前記初期設定コマンドに対する応答が前記高周波ユニットより所定時間内に返送されてきたときは、前記制御ユニットから前記高周波ユニットに供給されている低電圧を規定の電源電圧に切り換えるとともに、所定時間内に応答が返送されてこないときは、制御ユニットと高周波ユニットの機種不一致として警告を発するようにしたので、同機種の制御ユニットと高周波ユニットが接続されたときにのみ、制御ユニットから高周波ユニットに対して規定の電源電圧が供給され、異なる機種の制御ユニットと高周波ユニットが接続された場合には、機種不一致の警告が発せられる。このため、電源電圧の違いによるシステムの破損および破壊を防止することができる。
【００４６】
また、請求項２記載の発明によるときは、制御ユニットから高周波ユニットへの規定の電源電圧の供給が前記低電圧を昇圧することにより行なわれるので、制御ユニット内に電圧の異なる複数の独立した電源を用意する必要がなく、無線システムに本発明方法を適用しても装置が大型化することがない。
【図面の簡単な説明】
【図１】本発明方法を適用して構成した送信用無線システムの一例を示すブロック図である。
【図２】送信制御ユニットの初期設定動作のフローチャートである。
【図３】送信高周波ユニットの初期設定動作のフローチャートである。
【図４】本発明方法を適用して構成した受信用無線システムの一例を示すブロック図である。
【符号の説明】
１    送信制御ユニット
２    送信高周波ユニット
３    パラボラアンテナ
５    電源ケーブル
６    制御信号ケーブル
７    パラボラアンテナ
８    受信高周波ユニット
９    受信制御ユニット
１０６    電源装置
１０６Ａ  昇圧回路
１０７    ＣＰＵ
１０８    警報回路
１０９    電源スイッチ
２０５    電源回路
２０５Ａ  高電圧電源受電回路
２０５Ｂ  低電圧電源受電回路
２０５Ｃ  出力スイッチ
２０６    ＣＰＵ
【図１】
0003582619.tif 000002
【図２】
0003582619.tif 000003
【図３】
0003582619.tif 000004
【図４】
0003582619.tif 000005